(57)【要約】【課題】読み取った指紋データと照合するための照合用指紋データを簡単に登録することができる認証装置を提供する。【解決手段】識別コードのタッチ操作時に指紋データを読み取る指紋読み取り部６１ｂと、指紋読み取り部６１ｂによって読み取られた指紋データと認証用識別コード９１に関連づけて記憶部９に記憶された認証用指紋データ９２とを照合することで認証用識別コード９１を特定して使用者を認証する指紋データ照合部７２と、指紋読み取り部６１ｂによって読み取られた指紋データと一致する認証用指紋データ９２が記憶されておらず、且つ入力識別コードと一致する認証用識別コード９１が記憶されている場合に、指紋読み取り部６１ｂによって読み取られた指紋データを認証用指紋データ９２として記憶部９に記憶させる認証用指紋データ登録部７３とを備えている。【選択図】図３
2016139241.tif 000002
【特許請求の範囲】
【請求項１】
タッチ操作により入力された入力識別コードと記憶手段に記憶された認証用識別コードとを照合することで使用者を認証する認証装置であって、
前記入力識別コードのタッチ操作時に指紋データを読み取る指紋読み取り手段と、
該指紋読み取り手段によって読み取られた指紋データと認証用識別コードに関連づけて前記記憶手段に記憶された認証用指紋データとを照合することで認証用識別コードを特定して使用者を認証する指紋データ照合手段と、
前記指紋読み取り手段によって読み取られた指紋データと一致する認証用指紋データが記憶されておらず、且つ前記入力識別コードと一致する認証用識別コードが記憶されている場合に、前記指紋読み取り手段によって読み取られた指紋データを認証用指紋データとして、前記入力識別コードと一致する認証用識別コードに関連づけて前記記憶手段に記憶させる認証用指紋データ登録手段とを具備することを特微とする認証装置。
【請求項２】
前記認証用指紋データ登録手段は、前記指紋読み取り手段によって読み取られた複数の指紋データの中から最も精度の高いものを選択し、選択した指紋データを認証用指紋データとして前記記憶手段に記憶させることを特徴とする請求項１記載の認証装置。
【請求項３】
前記認証用指紋データ登録手段は、前記指紋読み取り手段によって読み取られた複数の指紋データに基づいて精度の高い指紋データを生成し、生成した指紋データを認証用指紋データとして前記記憶手段に記憶させることを特徴とする請求項１記載の認証装置。
【請求項４】
前記指紋データ照合手段は、複数の認証用識別コードが特定されると、複数の認証用識別コードを表示手段に表示させ、表示された複数の認証用識別コードの中から入力予定である認証用識別コードの選択を受け付けることを特微とする請求項３記載の認証装置。
【発明の詳細な説明】
【技術分野】
【０００１】
本発明は、使用者を認証する認証装置に関する。
【背景技術】
【０００２】
複写機や複合機等の電子機器をオフィスにおいて共有で使用する場合、認証装置によって使用者の認証を行い、使用状況の把握や課金管理を行っている。使用者の認証は、識別コード（個人ＩＤやパスワード）によって行う方法が一般的である。識別コードの入力は、手入力や、ＩＣカードを用いて行われる（例えば、特許文献１参照）。しかし、使用の度に識別コードを手入力する作業は煩雑である。また、識別コードの入力にＩＣカードを用いると、手入力という煩雑な作業は不必要になるが、使用者ごとにＩＣカードを用意しなければならない。
【０００３】
そこで、近年では、指紋センサーを配置することによって、識別コードを入力することなく使用者の認証を行う技術が提案されている（例えば、特許文献２参照）。特許文献２では、操作パネルの電話帳キーやスタートキーなどに、指紋センサーを重ねて配置し、これらのキーに使用者が触れると、自動的に指紋データを読み取って、使用者の認証を行うように構成されている。
【先行技術文献】
【特許文献】
【０００４】
【特許文献１】特開２０１０−４６９７６号公報
【特許文献２】特開２００５−６２５９号公報
【発明の概要】
【発明が解決しようとする課題】
【０００５】
しかしながら、従来技術では、読み取った指紋データと照合するための照合用指紋データを事前に登録しておく必要がある。照合用指紋データの登録は、一般的に管理者権限で行わなければならないため、照合用指紋データの登録作業が煩雑なものになってしまうという問題点があった。
【０００６】
本発明は、かかる点に鑑みてなされたものであり、その目的とするところは、読み取った指紋データと照合するための照合用指紋データを簡単に登録することができる認証装置を提供することにある。
【課題を解決するための手段】
【０００７】
本発明の認証装置は、タッチ操作により入力された入力識別コードと記憶手段に記憶された認証用識別コードとを照合することで使用者を認証する認証装置であって、前記入力識別コードのタッチ操作時に指紋データを読み取る指紋読み取り手段と、該指紋読み取り手段によって読み取られた指紋データと認証用識別コードに関連づけて前記記憶手段に記憶された認証用指紋データとを照合することで認証用識別コードを特定して使用者を認証する指紋データ照合手段と、前記指紋読み取り手段によって読み取られた指紋データと一致する認証用指紋データが記憶されておらず、且つ前記入力識別コードと一致する認証用識別コードが記憶されている場合に、前記指紋読み取り手段によって読み取られた指紋データを認証用指紋データとして、前記入力識別コードと一致する認証用識別コードに関連づけて前記記憶手段に記憶させる認証用指紋データ登録手段とを具備することを特微とする。
さらに、本発明の認証装置において、前記認証用指紋データ登録手段は、前記指紋読み取り手段によって読み取られた複数の指紋データの中から最も精度の高いものを選択し、選択した指紋データを認証用指紋データとして前記記憶手段に記憶させても良い。
さらに、本発明の認証装置において、前記認証用指紋データ登録手段は、前記指紋読み取り手段によって読み取られた複数の指紋データに基づいて精度の高い指紋データを生成し、生成した指紋データを認証用指紋データとして前記記憶手段に記憶させても良い。
さらに、本発明の認証装置において、前記指紋データ照合手段は、複数の認証用識別コードが特定されると、複数の認証用識別コードを表示手段に表示させ、表示された複数の認証用識別コードの中から入力予定である認証用識別コードの選択を受け付けても良い。
【０００８】
本発明によれば、識別コードの入力に伴う自然な操作で、読み取った指紋データと照合するための認証用指紋データを簡単に登録することができるという効果を奏する。
【図面の簡単な説明】
【０００９】
【図１】本発明に係る認証装置の実施の形態の内部構成を示す概略模式断面図である。
【図２】図１に示す操作部の構成を示す平面図である。
【図３】図１に示す画像形成装置の概略構成を示すブロック図である。
【図４】本発明に係る認証装置の実施の形態における認証動作を説明するためのフローチャートである。
【発明を実施するための形態】
【００１０】
次に、本発明の実施の形態を、図面を参照して具体的に説明する。
本実施の形態の認証装置は、電子写真方式を利用した複写機や複合機等の画像形成装置１であり、図１を参照すると、原稿読取部２と、原稿給送部３と、本体部４と、操作部６とを備えている。原稿給送部３は、原稿読取部２の上部に配設されていると共に、原稿読取部２は、本体部４の上部に配設され、原稿読取部２と本体部４との間には、排紙空間４０が形成されている。
【００１１】
操作部６には、タッチパネル６１、操作ボタン６２が設けられている。使用者は操作部６を操作して指示を入力することで、画像形成装置１の各種の設定を行い、スキャン動作や画像形成等の各種機能を実行させる。タッチパネル６１は、画像形成装置１の状態を示したり、画像形成状況や印刷部数を表示したり、両面印刷や白黒反転等の機能や倍率設定、濃度設定など各種設定を行えるようになっている。操作ボタン６２としては、スキャン動作や画像形成の開始を指示するスタートボタン、スキャン動作や画像形成の中止を指示するストップボタン、画像形成装置１の各種設定をデフォルト状態にする際に使用するリセットボタン等が設けられている。
【００１２】
使用開始時には、タッチパネル６１に個人ＩＤやパスワード（ＰＷ）等の識別コード入力を促す、図２に示すような識別コード入力画面が表示されている。識別コード入力画面には、指をタッチすることで識別コードを入力するテンキーやキーボード等の識別コード入力部６１ａが設けられている。また、識別コード入力部６１ａは、静電容量式、電界検知式、光学式、感熱式、感圧式等からなる公知の指紋センサーとしての機能も備え、指紋読み取り部６１ｂとしても機能する。指紋読み取り部６１ｂは、識別コードを入力するために、使用者が指でタッチパネル６１（識別コード入力部６１ａ）にタッチすると、タッチされた指の指紋を読み取り、指紋による凹凸の位置に応じた信号を指紋データとして出力する。
【００１３】
原稿読取部２は、光源と撮像素子とを備え、ＬＥＤや冷陰極管ランプ等の光源の光を原稿ＭＳの画像面に導くと共に、画像面からの反射光をＣＣＤセンサー等の撮像素子に導くスキャナー２１と、プラテンガラス２２と、原稿読取スリット２３とを備える。スキャナー２１は、モーター２４とプーリー２５との間に架け渡された歯付きベルト２６に固定されており、モーター２４を駆動することで、スキャナー２１がプラテンガラス２２に載置された原稿ＭＳの画像面に沿って移動され、原稿ＭＳの画像面を走査（スキャン）するように構成されている。プラテンガラス２２は、ガラス等の透明部材により構成された原稿台である。原稿読取スリット２３は、原稿給送部３による原稿の搬送方向と直交方向に形成されたスリットである。
【００１４】
プラテンガラス２２に載置された原稿ＭＳを読み取る場合には、スキャナー２１をプラテンガラス２２に沿って副走査方向に移動させながら、プラテンガラス２２に載置された原稿ＭＳを主走査方向の１ライン毎に走査することで画像データを取得し、取得した画像データを本体部４に出力する。また、原稿給送部３により搬送された原稿ＭＳを読み取る場合には、スキャナー２１を原稿読取スリット２３と対向する位置に移動させ、原稿読取スリット２３を介し、原稿給送部３による原稿の搬送動作と同期して原稿ＭＳを読み取って画像データを取得し、取得した画像データを本体部４に出力する。
【００１５】
原稿給送部３は、原稿載置部３１と、原稿排出部３２と、原稿搬送機構３３とを備えている。原稿載置部３１に載置された原稿ＭＳは、原稿搬送機構３３によって、１枚ずつ順に繰り出されて原稿読取スリット２３に対向する位置へ搬送され、その後、原稿排出部３２に排出される。なお、原稿給送部３は、可倒式に構成され、プラテンガラス２２上を開閉するプラテンカバーとして機能し、原稿給送部３を上方に持ち上げて開成すると、プラテンガラス２２の上面を開放させることができる。
【００１６】
本体部４は、電子写真プロセスによって記録紙Ｐに記録を施す記録部５を備えると共に、給紙カセット４１と、給紙ローラー４２と、用紙搬送路４３と、搬送ローラー４４、４５と、排出ローラー４６とを備えている。給紙ローラー４２、搬送ローラー４４、４５及び排出ローラー４６は、記録紙Ｐを搬送する搬送部として機能する。給紙カセット４１に収納された記録紙Ｐは、給紙ローラー４２によって用紙搬送路４３に１枚ずつ繰り出され、搬送ローラー４４によって記録部５に搬送される。そして、記録部５によって記録が施された記録紙Ｐは、排出ローラー４６によって排紙空間４０に排出される。
【００１７】
記録部５は、感光体ドラム５１と、帯電器５２と、光走査部５３と、現像部５４と、転写ローラー５５と、定着部５６と、クリーニング部５７とを備えている。記録部５による画像形成は、まず、帯電器５２により感光体ドラム５１の表面を一様に帯電させ、原稿読取部２で読み取られ画像データに基づいて、光走査部５３によって感光体ドラム５１の表面を走査することで静電潜像を形成させる。次に、感光体ドラム５１の表面に形成された静電潜像を現像部５４によって現像することでトナー像を形成させる。感光体ドラム５１の表面に形成されたトナー像は、給紙カセット４１から繰り出された記録紙Ｐが、感光体ドラム５１と転写ローラー５５とのニップ部を通過する間に記録紙Ｐに転写される。記録紙Ｐに転写されたトナー像は、定着部５６を通過する間に記録紙Ｐに熱定着される。
【００１８】
図３には、画像形成装置１の概略構成を示すブロック図が示されている。上述の原稿読取部２、原稿給送部３、搬送部（給紙ローラー４２、搬送ローラー４４、４５、排出ローラー４６）、記録部５及び操作部６は、制御部７に接続され、制御部７によって動作制御される。また、制御部７には、画像処理部８と、記憶部９とが接続されている。
【００１９】
画像処理部８は、画像データに対して所定の画像処理を行う手段であり、例えば、拡大縮小処理や、階調調整、濃度調整等の画像改善処理が行われる。
【００２０】
記憶部９は、半導体メモリーやＨＤＤ（Hard Disk Drive）等の記憶手段であり、原稿読取部２によって原稿を読み取ることで取得された画像データが記憶される。記憶部９には、使用者を認証するための使用者認証リストを含む各種の管理データが記憶されている。使用者認証リストには、認証用識別コード９１と、認証用識別コード９１に関連付けられた認証用指紋データ９２とが登録される。また、記憶部９には、認証結果と共に使用状況が履歴データとして記憶される。
【００２１】
制御部７は、ＲＯＭ（Read Only Memory）、ＲＡＭ（Random Access Memory）等を備えたマイクロコンピューター等の情報処理部である。ＲＯＭには画像形成装置１の動作制御を行うための制御プログラムが記憶されている。制御部７は、ＲＯＭに記憶されている制御プログラムを読み出し、制御プログラムをＲＡＭに展開させることで、操作部６から入力された所定の指示情報に応じて装置全体の制御を行う。また、制御部７は、識別コード照合部７１、指紋データ照合部７２及び認証用指紋データ登録部７３として機能する。
【００２２】
識別コード照合部７１は、識別コード入力部６１ａによって入力を受け付けた識別コードと、記憶部９の使用者認証リストに登録された認証用識別コード９１とを照合し、入力を受け付けた識別コードが使用者認証リストに認証用識別コード９１として登録されている場合には、使用者を認証してログイン処理を行い、画像形成装置１の使用を許可する。
【００２３】
指紋データ照合部７２は、指紋読み取り部６１ｂによって読み取られた指紋データと、記憶部９の使用者認証リストに登録された認証用指紋データ９２とを照合し、読み取られた指紋データが使用者認証リストに認証用指紋データ９２として登録されている場合には、使用者を認証してログイン処理を行い、画像形成装置１の使用を許可する。
【００２４】
認証用指紋データ登録部７３は、入力を受け付けた識別コードが使用者認証リストに認証用識別コード９１として登録されている場合に、指紋読み取り部６１ｂによって読み取られた指紋データを認証用識別コード９１に関連付けした認証用指紋データとして使用者認証リストに登録する。
【００２５】
次に、画像形成装置１における認証動作について図４を参照して詳細に説明する。
図４を参照すると、制御部７は、使用開始時に、図２に示すような識別コード入力画面をタッチパネル６１に表示させ、識別コード入力画面に設けられている識別コード入力部６１ａへの指のタッチ、すなわち識別コードの入力を待機する（ステップＡ１）。
【００２６】
ステップＡ１で、識別コード入力部６１ａに指がタッチされると、識別コード入力部６１ａは、指がタッチされた箇所に応じた識別コードを受け付け（ステップＡ２）、受け付けた識別コードを制御部７に出力する。なお、識別コード入力部６１ａから制御部７へは入力座標を出力し、制御部７で入力座標に応じた識別コードを認識するようにしても良い。
【００２７】
ステップＡ２と同時に、指紋読み取り部６１ｂは、タッチされた指の指紋を読み取り（ステップＡ３）、指紋による凹凸の位置に応じた信号を指紋データとして制御部７に出力する。すなわち、使用者がタッチパネル６１に指でタッチすると、識別コードが入力されると共に、指紋データが読み取られる。
【００２８】
次に、制御部７は、入力される指紋データに基づいて、指紋読み取り部６１ｂによる指紋を読み取りが成功したか否かを判断する（ステップＡ４）。指紋読み取り部６１ｂによる指紋を読み取りが成功したか否かは、例えば、読み取られた指紋データの面積で判断することができる。タッチパネル６１（識別コード入力部６１ａ）に指紋が認識できない指の先でタッチした場合の指紋データに比べて、タッチパネル６１（識別コード入力部６１ａ）に指紋がある指の腹でタッチした場合の指紋データの面積が大きくなる。従って、指紋データが予め設定された面積以上である場合に、指紋読み取り部６１ｂによる指紋を読み取りが成功したと判断し、指紋データが予め設定された面積未満である場合に、指紋読み取り部６１ｂによる指紋を読み取りが失敗したと判断することができる。
【００２９】
ステップＡ４で、指紋読み取り部６１ｂによる指紋を読み取りが成功した場合には、制御部７は、指紋データ照合部７２として機能し、指紋読み取り部６１ｂによって読み取られた指紋データと、記憶部９の使用者認証リストに登録された認証用指紋データ９２とを照合し（ステップＡ５）、読み取られた指紋データが使用者認証リストに認証用指紋データ９２として登録されているか否か、すなわち認証ＯＫか否かを判断する（ステップＡ６）。
【００３０】
ステップＡ６で、読み取られた指紋データが使用者認証リストに認証用指紋データ９２として登録されておらず、認証ＮＧである場合には、指紋データ照合部７２は、読み取られた指紋データを記憶部９（制御部７のＲＡＭ等でも可）に記憶させる（ステップＡ７）。そして、制御部７は、ステップＡ２で受け付けた識別コードが入力終了を示すＯＫキーか否かを判断する（ステップＡ８）。なお、ステップＡ４で、指紋読み取り部６１ｂによる指紋を読み取りが失敗した場合には、直接、ステップＡ８に至り、制御部７は、ステップＡ２で受け付けた識別コードが入力終了を示すＯＫキーか否かを判断する。
【００３１】
ステップＡ８で、受け付けた識別コードが入力終了を示すＯＫキーである場合には、制御部７は、識別コード照合部７１として機能し、識別コード入力部６１ａによって入力を受け付けた識別コードと、記憶部９の使用者認証リストに登録された認証用識別コード９１とを照合し（ステップＡ９）、入力を受け付けた識別コードが使用者認証リストに認証用識別コード９１として登録されているか否か、すなわち認証ＯＫか否かを判断する（ステップＡ１０）。ステップＡ１０で、入力を受け付けた識別コードが使用者認証リストに認証用識別コード９１として登録されておらず、認証ＮＧである場合には、識別コード照合部７１は、画像形成装置１の使用を許可することなく、認証動作を終了させる。
【００３２】
ステップＡ１０で、入力を受け付けた識別コードが使用者認証リストに認証用識別コード９１として登録されており、認証ＯＫである場合には、制御部７は、ステップＡ７で記させた指紋データが有るか否かを判断する（ステップＡ１１）。
【００３３】
なお、ステップＡ１１で、記憶させた指紋データがない場合には、制御部７は、認証用指紋データ登録部７３として機能し、ステップＡ７で記憶させた指紋データを、ステップＡ１０で認証した認証用識別コード９１に関連付けした認証用指紋データとして使用者認証リストに登録する（ステップＡ１２）。そして、識別コード照合部７１は、使用者を認証してログイン処理を行って画像形成装置１の使用を許可し（ステップＡ１３）、認証動作を終了させる。なお、ステップＡ１１で、記憶させた指紋データがない場合には、直接、ステップＡ１３に至り、識別コード照合部７１は、使用者を認証してログイン処理を行い、画像形成装置１の使用を許可する。このように、識別コードの入力に伴う自然な操作で使用者の認証用指紋データを登録することができる。従って、機械操作に不慣れなユーザーも特別な操作を意識することなく、認証用指紋データの登録が可能である。
【００３４】
なお、指紋がある指の腹でタッチパネル６１にタッチして識別コードを入力した場合には、通常、ステップＡ７で複数の指紋データが記憶される。この複数の指紋データは、様々な接地条件（指とタッチパネル６１との接触状態）で取得されたものとなる。従って、認証用指紋データ登録部７３は、ステップＡ７で記憶された複数の指紋データの中から最も精度の高い指紋データ（例えば、最も面積が大きい指紋データ）を選択し、選択した指紋データを認証用指紋データとして使用者認証リストに登録する。また、認証用指紋データ登録部７３は、ステップＡ７で記憶された複数の指紋データを重ね合わせることで精度の高い指紋データ（例えば、面積が大きい指紋データ）を生成し、生成した指紋データを認証用指紋データとして使用者認証リストに登録するようにしても良い。
【００３５】
ステップＡ６で、読み取られた指紋データが使用者認証リストに認証用指紋データ９２として登録されており、認証ＯＫである場合には、指紋データ照合部７２は、認証用指紋データ９２に関連付けられた認証用識別コードをタッチパネル６１に表示させ（ステップＡ１４）、使用者が入力予定である認証用識別コードの選択を受け付ける（ステップＡ１５）。なお、使用者認証リストにおいて、認証用指紋データ９２に複数の認証用識別コードが関連付けられている場合には、ステップＡ１４において、複数の認証用識別コードがタッチパネル６１に表示される。そして、使用者は、表示された複数の認証用識別コードの中から入力予定である認証用識別コードを選択する。
【００３６】
ステップＡ１５で、認証用識別コードが選択された場合には、指紋データ照合部７２は、ステップＡ１５で選択された認証用識別コードで使用者を認証してログイン処理を行い、画像形成装置１の使用を許可し（ステップＡ１６）、認証動作を終了させる。なお、使用者に対して１つの識別コートのみが割り当てられる環境化においては、ステップＡ６で、読み取られた指紋データが使用者認証リストに認証用指紋データ９２として登録されており、認証ＯＫである場合に、ステップＡ１４、Ａ１５での認証用識別コードの表示や選択の受け付けを行うこと行うことなく、ステップＡ１６に至るようにしても良い。
【００３７】
ステップＡ１５で、認証用識別コードが選択されなかった場合には、ステップＡ７に至り、指紋データ照合部７２は、読み取られた指紋データを記憶部９（制御部７のＲＡＭ等でも可）に記憶させる。なお、ステップＡ１５で、認証用識別コードが選択されなかった場合には、指紋読み取り部６１ｂによる指紋を読み取りが成功しても、ステップＡ４、Ａ５での指紋データ認証を行うことなく、ステップＡ７に至る。これにより、同一の認証用指紋データに対応して複数の認証用識別コードを登録することができる。また、ステップＡ１５で、既に登録されている認証用識別コードを破棄するか、同一の認証用指紋データに対応する複数の識別コードを登録するか、今回の認証用識別コードは登録しないかを選択できるようにしても良い。
【００３８】
また、ステップＡ１０の後に、認証ＯＫの識別コードに関連付けられた認証用指紋データがすでに登録されているか否かを判断し、他の認証用指紋データ、すなわちステップＡ７で記憶した指紋データと一致しない認証用指紋データがすでに登録されている場合には、識別コード照合部７１は、画像形成装置１の使用を許可することなく、認証動作を終了させるようにしても良い。この場合には、認証用指紋データ登録部７３は、ステップＡ７で記憶させた指紋データを認証用指紋データとして使用者認証リストに登録することはない。これにより、認証用指紋データが関連付けされた記憶されている認証用識別コード９１に関しては、他の使用者に識別コードが流出しても、不正使用を防止することができる。
【００３９】
以上説明したように、本実施の形態によれば、タッチ操作による識別コードの入力を受け付け、入力された識別コード（以下、入力識別コードと称す）と記憶部９に記憶された認証用識別コード９１とを照合することで使用者を認証する認証装置であって、識別コードのタッチ操作時に指紋データを読み取る指紋読み取り部６１ｂと、指紋読み取り部６１ｂによって読み取られた指紋データと認証用識別コード９１に関連づけて記憶部９に記憶された認証用指紋データ９２とを照合することで認証用識別コード９１を特定して使用者を認証する指紋データ照合部７２と、指紋読み取り部６１ｂによって読み取られた指紋データと一致する認証用指紋データ９２が記憶されておらず、且つ入力識別コードと一致する認証用識別コード９１が記憶されている場合に、指紋読み取り部６１ｂによって読み取られた指紋データを認証用指紋データ９２として、入力識別コードと一致する認証用識別コード９１に関連づけて記憶部９に記憶させる認証用指紋データ登録部７３とを備えている。
この構成により、識別コードの入力に伴う自然な操作で、読み取られた指紋データと照合するための認証用指紋データを簡単に登録することができる。従って、機械操作に不慣れなユーザーも特別な操作を意識することなく、認証用指紋データの登録が可能である。
【００４０】
さらに、本実施の形態によれば、認証用指紋データ登録部７３は、指紋読み取り部６１ｂによって読み取られた複数の指紋データの中から最も精度の高いものを選択し、選択した指紋データを認証用指紋データ９２として記憶部９に記憶させる。また、認証用指紋データ登録部７３は、指紋読み取り部６１ｂによって読み取られた複数の指紋データに基づいて精度の高い指紋データを生成し、生成した指紋データを認証用指紋データ９２として記憶部９に記憶させるようにしても良い。
この構成により、識別コードの入力に伴って、様々な接地条件で取得された複数の指紋データは、精度の高いものとなる。従って、自然により精度の高い認証用指紋データを登録することができる。
【００４１】
さらに、本実施の形態によれば、指紋データ照合部７２は、複数の認証用識別コード９１が特定されると、複数の認証用識別コード９１をタッチパネル６１に表示させ、表示された複数の認証用識別コード９１の中から入力予定である認証用識別コード９１の選択を受け付ける。
この構成により、同一の使用者に対して複数の認証用識別コードを設定することができる。
【００４２】
なお、本発明が上記各実施の形態に限定されず、本発明の技術思想の範囲内において、各実施の形態は適宜変更され得ることは明らかである。
【符号の説明】
【００４３】
１  画像形成装置
２  原稿読取部
３  原稿給送部
４  本体部
５  記録部
６  操作部
７  制御部
８  画像処理部
９  記憶部
２１  スキャナー
２２  プラテンガラス
２３  原稿読取スリット
２４  モーター
２５  プーリー
２６  歯付きベルト
３１  原稿載置部
３２  原稿排出部
３３  原稿搬送機構
４０  排紙空間
４１  給紙カセット
４２  給紙ローラー
４３  用紙搬送路
４４、４５  搬送ローラー
４６  排出ローラー
５１  感光体ドラム
５２  帯電器
５３  光走査部
５４  現像部
５５  転写ローラー
５６  定着部
５７  クリーニング部
６１  タッチパネル
６２  操作ボタン
６１ａ  識別コード入力部
６１ｂ  指紋読み取り部
７１  識別コード照合部
７２  指紋データ照合部
７３  認証用指紋データ登録部
９１  認証用識別コード
９２  認証用指紋データ
【図１】
2016139241.tif 000003
【図２】
2016139241.tif 000004
【図３】
2016139241.tif 000005
【図４】
2016139241.tif 000006